(57)【特許請求の範囲】
【請求項１】
粘着層を一面に備えたシート状の便座カバーを前記粘着層により付着させる板状のシート付着部と、該シート付着部に取り付けられ、他部材に吊り下げ支持されるように係合する係合部とを備えたことを特徴とする便座カバー保持具。
【請求項２】
前記シート付着部は、両面に前記便座カバーを付着させる構成としてあることを特徴とする請求項１に記載の便座カバー保持具。
【請求項３】
前記シート付着部は、前記便座カバーの形状に応じた形状に形成されていることを特徴とする請求項１又は２に記載の便座カバー保持具。
【請求項４】
前記シート付着部は、所定の幅を有する半円環状であって、一端部の外周側縁部を直線状になし、該直線状の縁部から遠い側ほど幅狭で他端部が丸みを有する形状をなし、前記係合部は、前記シート付着部の直線状の縁部に取り付けられていることを特徴とする請求項３に記載の便座カバー保持具。
【発明の詳細な説明】
【技術分野】
【０００１】
本発明は、粘着層を備えて便座の上面に装着して使用する便座カバーを洗濯、収納保存等する場合に安定に保持するための便座カバー保持具に関する。
【背景技術】
【０００２】
洋式便器の便座の上面形状に応じた形状のシートの一面に粘着層を設けた便座カバーが公知である（例えば特許文献１参照）。この便座カバーは粘着層を便座上面に付着させて便座に装着し、使用により汚れた場合は粘着層を便座上面からはがして取り外し、洗濯して反復使用することができる。
【特許文献１】特開平８−２２４１９２号公報
【発明の開示】
【発明が解決しようとする課題】
【０００３】
前記便座カバーは便座の形状に応じた形状であり、一面に粘着層が形成されているため、一般的な洗濯物干し台などの竿、紐等に掛けて干す場合、粘着層が他物に接着し、あるいは粘着層同士が接着することがあり、干しにくく不便であった。また、前記便座カバーを収納保存する場合にも、同様に粘着層同士が接着するようなことを避ける必要がある。
【０００４】
本発明は、上述したような事情に鑑みてなされたものであり、前記便座カバーを粘着層により付着させる板状のシート付着部と、シート付着部に取り付けられ、他部材に吊り下げ支持されるように係合する係合部とを備えることにより、粘着層によって洋式便座に付着させて使用する便座カバーを洗濯、収納保存等する場合に安定に保持することができる便座カバー保持具を提供することを第１の目的とする。
【０００５】
また本発明は、シート付着部の両面に便座カバーを付着させること、あるいはシート付着部を便座カバーの形状に応じた形状に形成することにより、小型化された便座カバー保持具を提供することを第２の目的とする。
【０００６】
さらに本発明は、半円環状の一端部の外周側縁部を直線状になし、該直線状の縁部から遠い側ほど幅狭で他端部が丸みを有する形状のシート付着部を備えることにより、便座カバーの形状に最も良く適合した便座カバー保持具を提供することを第３の目的とする。
【課題を解決するための手段】
【０００８】
第１の発明に係る便座カバー保持具は、粘着層を一面に備えたシート状の便座カバーを前記粘着層により付着させる板状のシート付着部と、該シート付着部に取り付けられ、他部材に吊り下げ支持されるように係合する係合部とを備えたことを特徴とする。
第１の発明においては、粘着層を一面に備えたシート状の便座カバーを該粘着層によって便座カバー保持具のシート付着部に付着させ、便座カバー保持具の係合部を他部材に吊り下げ支持されるように係合させる。これにより、粘着層を一面に備えたシート状の便座カバーが他部材に吊り下げ支持される便座カバー保持具にて確実に保持される。
【０００９】
第２の発明に係る便座カバー保持具は、第１の発明における前記シート付着部は、両面に前記便座カバーを付着させることを特徴とする。
第２の発明においては、板状のシート付着部の両面に便座カバーを付着させるので、シート付着部を便座カバーの全体の面積の半分程度の大きさに形成することができる。
【００１０】
第３の発明に係る便座カバー保持具は、第１又は第２の発明における前記シート付着部は、前記便座カバーの形状に応じた形状に形成されていることを特徴とする。
第３の発明においては、シート付着部を便座カバーの形状に応じた必要最小限の大きさに形成することができる。
【００１１】
第４の発明に係る便座カバー保持具は、第３の発明における前記シート付着部は、所定の幅を有する半円環状であって、一端部の外周側縁部を直線状になし、該直線状の縁部から遠い側ほど幅狭で他端部が丸みを有する形状をなし、前記係合部は、前記シート付着部の直線状の縁部に取り付けられていることを特徴とする。
第４の発明においては、Ｏ型便座又はＵ型便座等の便座の形状に対応するように、所定の幅を有する半円環状であって一端部の外周側縁部を直線状になし、該直線状の縁部から遠い側ほど幅狭で他端部が丸みを有する形状のシート及び該シートに対して鏡面対称のシートからなる便座カバーの各シートを、同様に半円環状であって一端部の外周側縁部を直線状になし、該直線状の縁部から遠い側ほど幅狭で他端部が丸みを有する形状のシート付着部の板の両面に夫々付着させ、該シート付着部の直線状の縁部に取り付けられた係合部を他部材に係合させる。
【発明の効果】
【００１３】
第１の発明に係る便座カバー保持具によれば、便座カバーの粘着層を便座カバー保持具のシート付着部に付着させ、便座カバー保持具の係合部を他部材に吊り下げ支持されるように係合させることにより該便座カバーを保持するので、例えば、係合部を洗濯物干し台などの竿、紐等の他部材に係合させて該便座カバーを干す場合、あるいは係合部を収納用の金具に掛けて収納保存する場合に、便座カバーの粘着層が他物に接着し、あるいは粘着層同士が接着するような不都合が回避され、粘着層によって洋式便器の便座に付着させて使用する便座カバーを安定に保持することができる便座カバー保持具が提供される。
【００１４】
第２の発明及び第３の発明に係る便座カバー保持具によれば、シート付着部を便座カバーの全体の面積の半分程度の大きさに形成することができ、あるいはシート付着部を便座カバーの形状に応じた必要最小限の大きさに形成することができるので、小型化された便座カバー保持具が提供される。
【００１５】
第４の発明に係る便座カバー保持具によれば、シート付着部が半円環状の一端部の外周側縁部を直線状になし、該直線状の縁部から遠い側ほど幅狭で他端部が丸みを有する形状に形成されているので、Ｏ型便座又はＵ型便座等の便座カバーの形状に最も良く適合した便座カバー保持具が提供される。
【発明を実施するための最良の形態】
【００１６】
以下、本発明に係る便座カバー保持具の実施の形態を図面に基づいて説明する。
実施の形態１
図３は実施の形態１の便座カバー保持具の保持対象となる便座カバーを示す正面図（ａ）と、図（ａ）のIII−III位置における端面図（ｂ）である。
本実施の形態１の便座カバー保持具が保持対象とする便座カバー３は、Ｏ型便座又はＵ型便座等の便座の形状に対応した不織布からなる一対のシート３ａ，３ｂを備えている。該一対のシート３ａ，３ｂは、概略、便座１２の幅に対応する幅を有してＯの字を上下方向に沿う中心線にて左右に分割したときの一方の如き半円環状であって、一端部の外周側縁部を直線状になし、該直線状の縁部から遠い側ほど幅狭で他端部が丸みを有する形状のシート３ａ及び該シート３ａに対して鏡面対称のシート３ｂからなる。各シート３ａ，３ｂの裏面には、例えばウレタン系の合成樹脂エマルジョン、発泡剤等を含む組成物を塗布して形成された粘着層３ｃが設けられている。図１１は該便座カバーの装着状態を示す斜視図である。便座カバー３は、Ｏ型便座又はＵ型便座の上面に置き、上から押えることで各シート３ａ，３ｂの粘着層３ｃが便座１２の上面に付着して固定される。
【００１７】
図１は本発明に係る便座カバー保持具の実施の形態１の構成を示す正面図であり、図２は同便座カバー保持具の一部断面図である。
本実施の形態１の便座カバー保持具は、便座カバー３の形状に合わせて、便座カバー３を構成する一対のシート３ａ，３ｂの一方と同様の形状であり、各シート３ａ，３ｂの外形寸法よりも少し大きめに形成された板材からなるシート付着部１と、シート付着部１の一端部の直線状の縁部に取り付けられた係合部２とを備えている。シート付着部１は、厚さが０．３ｍｍ程度のポリエステル樹脂、アクリル樹脂等の合成樹脂板で構成しているが、該樹脂板の厚さにこれに限るものではない。
【００１８】
係合部２は太さが２ｍｍ程度で所定長さの軟質の合成樹脂線材２ｅの中間部分を他の部分よりも太く（３ｍｍ程度に）形成し、該線材２ｅの両端部に星形の盤状部２ａ，２ｂを一体形成した部材からなるが、線材２ｅの太さはこれらの数値に限るものではない。一方の盤状部２ａは支柱及び該支柱の断面径よりも大きい直径の頭部からなる突起２ｃを中央に備え、他方の盤状部２ｂは貫通孔２ｄを中央に有している。シート付着部１には取付孔１ａが開成されている。突起２ｃの頭部の直径は取付孔１ａ及び貫通孔２ｄより大径に形成されている。他方の盤状部２ｂをシート付着部１の一方の面に貫通孔２ｄと取付孔１ａとが位置合わせされた状態に配置し、シート付着部１の他方の面から一方の盤状部２ａの突起２ｃの頭部を取付孔１ａと貫通孔２ｄとに挿通させることにより、突起２ｃの頭部が貫通孔２ｄにて抜け止め機能を果たし、係合部２を構成するように環状に折り曲げられた合成樹脂線材の両端部がシート付着部１に連結固定される。
【００１９】
図４は実施の形態１の便座カバー保持具による便座カバー保持状態を示す正面図（ａ）と、図（ａ）のIV−IV位置における端面図（ｂ）である。
本発明に係る便座カバー保持具に便座カバー３を保持させる場合は便座に装着する場合と同様に、シート付着部１の一方の面に一対のシート３ａ，３ｂの一方を両方の形状を合わせた状態で置き、上から押えることで便座カバー３の粘着層３ｃがシート付着部１の一方の面に付着して固定保持される。またシート付着部１の他方の面（裏面）に一対のシート３ａ，３ｂの他方を同様に付着して固定保持させる。
【００２０】
図５は、本発明に係る便座カバー保持具の使用状態の一例を示す斜視図である。環状の係合部２を洗濯物干し台の竿６に通して支持させて、便座カバー３をシート付着部１に付着した状態で干す例である。また、図示はしないが、受け用の金具に環状の係合部２を引っ掛けて便座カバー３をシート付着部１に付着した状態で収納保存することができる。
【００２１】
実施の形態２
図６は本発明に係る便座カバー保持具の実施の形態２の構成を示す正面図である。本実施の形態２の便座カバー保持具は、概略Ｏの字の如き形状を有し便座カバーの幅よりも広幅に形成された板材からなるシート付着部４と、シート付着部４のＯの字の平面形状である板材の外周側縁部に取り付けられた係合部２とを備えている。シート付着部４の材料は、実施の形態１と同様の合成樹脂板で構成され、係合部２は実施の形態１と同様の材料及びシート付着部４への取付構造に構成されている。
【００２２】
図７及び図８は実施の形態２の便座カバー保持具による便座カバー保持状態を示す正面図である。図７は、Ｏの字を縦に２分割した如き平面形状を有し、裏面に粘着層を形成した一対のシート１１ａ，１１ｂからなる前述の便座カバー１１をシート付着部４の板面に並べて付着固定させる場合を示す。図８は、概略Ｏの字の如き平面形状の不織布からなるシートと該シートの裏面に形成した粘着層とを備えた便座カバー５を保持対象として、該便座カバー５をシート付着部４の板面に両方の形状を合わせた状態で付着固定させる場合を示す。
【００２３】
実施の形態３
図９は本発明に係る便座カバー保持具の実施の形態３の構成示す正面図である。本実施の形態３の便座カバー保持具は、シート付着部４を構成する概略Ｏの字の如き形状を有する楕円環の下部の一部分が欠落した形状のシート付着部７と、該欠落位置の対角方向に位置する楕円環の上部の外周縁部に取り付けられた係合部２とを備えている。この便座カバー保持具のシート付着部７においても、シート付着部４の場合と同様に便座カバー１１又は便座カバー５を板面に付着固定させることができる。
【００２４】
前述の実施の形態１、２及び３では、係合部２を環状に形成したが、この形状に限るものではない。図１０の（ａ）に示すように洗濯竿等の他部材に引っ掛けるフック形状の係合部２、あるいは（ｂ）に示すように他部材を挟むタイプの係合部２でもよい。
【００２５】
前述の実施の形態１、２及び３では、便座カバー保持具について説明したが、本発明に係る保持具は便座カバーを保持対象とする保持具に限るものではない。粘着層を備えた被保持物を保持対象として、該被保持物を粘着層により付着させる付着部と、該付着部に取り付けられ他部材に係合する係合部とを備えた保持具であってもよい。あるいは、粘着層以外の手段にて被保持物を付着させる付着部と、該付着部に取り付けられ他部材に係合する係合部とを備えた保持具であってもよい。
【図面の簡単な説明】
【００２６】
【図１】本発明に係る便座カバー保持具の実施の形態１の構成を示す正面図である。
【図２】図１に示す便座カバー保持具の一部断面図である。
【図３】図１に示す便座カバー保持具の保持対象となる便座カバーの正面図と端面図である。
【図４】図１に示す便座カバー保持具の便座カバー保持状態を示す正面図と端面図である。
【図５】本発明に係る便座カバー保持具の使用状態の一例を示す斜視図である。
【図６】本発明に係る便座カバー保持具の実施の形態２の構成を示す正面図である。
【図７】図６に示す便座カバー保持具の便座カバー保持状態を示す正面図である。
【図８】図６に示す便座カバー保持具の便座カバー保持状態を示す正面図である。
【図９】本発明に係る便座カバー保持具の実施の形態３の構成を示す正面図である。
【図１０】本発明に係る便座カバー保持具の係合部の変形例を示す図である。
【図１１】便座カバーの装着状態を示す斜視図である。
【符号の説明】
【００２７】
１      シート付着部
２      係合部
３      便座カバー
３ａ    シート
３ｂ    シート
３ｃ    粘着層
４      シート付着部
５      便座カバー
７      シート付着部
１１    便座カバー
１１ａ    シート
１１ｂ    シート
【図１】
0004669867.tif 000002
【図２】
0004669867.tif 000003
【図３】
0004669867.tif 000004
【図４】
0004669867.tif 000005
【図５】
0004669867.tif 000006
【図６】
0004669867.tif 000007
【図７】
0004669867.tif 000008
【図８】
0004669867.tif 000009
【図９】
0004669867.tif 000010
【図１０】
0004669867.tif 000011
【図１１】
0004669867.tif 000012